(57)【要約】【課題】折り畳まれたときでもパネルが一方に偏らない安価な間仕切り装置を提供する。【解決手段】間仕切り装置１は、倒れることを阻止する支持装置である可動ベース部２と、可動ベース部２に対して水平方向に回動可能に支持される連結パネル１１Ａと、連結パネル１１Ａの横方向の長さＷ２の２倍の横方向の長さＷ３を有し、連結パネル１１Ａに対して水平方向に回動可能に支持される仕切りパネル１１Ｂと、仕切りパネル１１Ｂの横方向の長さＷ３以下の横方向の長さＷ４を有し、仕切りパネル１１Ｂに対して水平方向に回動可能に支持される終端パネル１１Ｃと、を備える。【選択図】図１
2018009326.tif 000002
【特許請求の範囲】
【請求項１】
倒れることを阻止する支持装置と、
前記支持装置に対して水平方向に回動可能に支持される連結パネルと、
前記連結パネルの横方向の長さの２倍の横方向の長さを有し、前記連結パネルに対して水平方向に回動可能に支持される仕切りパネルと、
前記仕切りパネルの横方向の長さ以下の横方向の長さを有し、前記仕切りパネルに対して水平方向に回動可能に支持される終端パネルと、
を備える間仕切り装置。
【請求項２】
前記連結パネルは、
下端に連結パネルキャスタを備え、
前記仕切りパネルは、
下端に仕切りパネルキャスタを備え、
前記終端パネルは、
下端部に終端パネルキャスタを備える請求項１に記載の間仕切り装置。
【請求項３】
前記支持装置は、
ベース部キャスタを備え、前記連結パネル、前記仕切りパネル、及び前記終端パネルが折り畳まれるとき、前記仕切りパネルキャスタの軌跡に干渉せず、前記連結パネルキャスタ及び前記終端パネルキャスタの進入方向に開口し、前記連結パネルキャスタ及び前記終端パネルキャスタを収容する凹部を有する形状をなすベースフレームと、
前記ベースフレームに立てられるベースパネルと、
を備える請求項２に記載の間仕切り装置。
【請求項４】
前記ベースフレームは、
前記連結パネル、前記仕切りパネル、及び前記終端パネルが折り畳まれたとき、前記凹部の内部に前記連結パネルキャスタ及び前記終端パネルキャスタを収容し、前記仕切りパネルキャスタが前記ベースフレームの外部に位置する形状をなす請求項３に記載の間仕切り装置。
【請求項５】
前記連結パネルキャスタ、前記仕切りパネルキャスタ、及び前記終端パネルキャスタは、
前記連結パネル、前記仕切りパネル、及び前記終端パネルが折り畳まれたとき、互いに干渉しない位置に取り付けられる請求項２から請求項４までのいずれか１項に記載の間仕切り装置。
【請求項６】
前記支持装置は、
ベース部キャスタを備え、前記連結パネル、前記仕切りパネル、及び前記終端パネルが折り畳まれるとき、前記連結パネルキャスタ、前記仕切りパネルキャスタ、及び前記終端パネルキャスタの各軌跡に干渉せず、前記連結パネルキャスタ、前記仕切りパネルキャスタ、及び前記終端パネルキャスタのうち少なくとも１つキャスタの進入方向に開口し、進入する前記キャスタを収容する凹部を有し、進入する前記キャスタ以外の前記キャスタを外部に位置させる形状をなすベースフレームと、
前記ベースフレームに立てられるベースパネルと、
を備える請求項２に記載の間仕切り装置。
【請求項７】
前記支持装置は、
壁に固定される固定パネルと、
前記連結パネルを前記固定パネルに水平方向に回動可能に連結するジョイント部と、
を備える請求項１または２に記載の間仕切り装置。
【請求項８】
前記支持装置は、
壁に固定され、前記連結パネルを水平方向に回動可能に連結するジョイント部を備える請求項１または２に記載の間仕切り装置。
【請求項９】
前記終端パネルは、
横方向の端部に円柱状のハンドルをさらに備える請求項１に記載の間仕切り装置。
【発明の詳細な説明】
【技術分野】
【０００１】
本発明は、間仕切り装置に関するものである。
【背景技術】
【０００２】
室内などの空間を区画する間仕切り装置には、壁又は可動ベース部に接続部を介して接続する複数のパネルを備え、使用しないときにこれらのパネルを折り畳むことなどにより小さく収納しておく物がある（例えば、特許文献１。）。
【０００３】
従来のこの種の間仕切り装置は、各パネルの横方向の長さが互いに等しいものであるため、折り畳むと壁や可動ベース部の接続部に対してパネルが片方に偏って収納される（特許文献１の図８参照。）。
【０００４】
特に、病院などのベッドの間にこのような間仕切り装置を設置すると、間仕切り承知の両側のスペースのうち、一方のスペースだけが折り畳まれたパネルによって狭いものとなり、利用者に不公平感を生じさせる。
【０００５】
そこで、各パネルの横方向の長さを短くし、パネルの数を増やすことも考えられるが、製造コストが高くなってしまう。
【先行技術文献】
【特許文献】
【０００６】
【特許文献１】特許第４４６４５００号公報
【発明の概要】
【発明が解決しようとする課題】
【０００７】
本発明の解決しようとする課題は、折り畳まれたときでもパネルが一方に偏らない安価な間仕切り装置を提供することである。
【課題を解決するための手段】
【０００８】
本発明は、倒れることを阻止する支持装置と、前記支持装置に対して水平方向に回動可能に支持される連結パネルと、前記連結パネルの横方向の長さの２倍の横方向の長さを有し、前記連結パネルに対して水平方向に回動可能に支持される仕切りパネルと、前記仕切りパネルの横方向の長さ以下の横方向の長さを有し、前記仕切りパネルに対して水平方向に回動可能に支持される終端パネルと、を備える間仕切り装置を提供する。
【発明の効果】
【０００９】
本発明によれば、折り畳まれたときでもパネルが一方に偏らない安価な間仕切り装置を提供することができる。
【図面の簡単な説明】
【００１０】
【図１】第１の実施形態の間仕切り装置の斜視図。
【図２】第１の実施形態の間仕切り装置の正面図。
【図３】第１の実施形態の間仕切り装置の背面図。
【図４】第１の実施形態の間仕切り装置の平面図。
【図５】第１の実施形態の折り畳まれた状態の間仕切り装置を示す斜視図。
【図６】第１の実施形態の折り畳まれた状態の間仕切り装置の平面図。
【図７】第２の実施形態の間仕切り装置を示す図。
【図８】第３の実施形態の間仕切り装置を示す図。
【発明を実施するための形態】
【００１１】
以下、本発明の実施形態の一例にかかる間仕切り装置１を、図面を参照しながら説明する。
【００１２】
（第１の実施形態）
図１は本実施形態の間仕切り装置１の斜視図、図２は間仕切り装置１の正面図、図３は間仕切り装置１の背面図、図４は間仕切り装置１の平面図である。
【００１３】
図１から図４までに示すように、間仕切り装置１は、支持装置である可動ベース部２と、可動ベース部２に対して水平方向に回動可能に支持される連結パネル１１Ａと、連結パネル１１Ａに対して水平方向に回動可能に支持される仕切りパネル１１Ｂと、仕切りパネル１１Ｂに対して水平方向に回動可能に支持される終端パネル１１Ｃと、を備える。
【００１４】
支持装置は、間仕切り装置１が倒れることを阻止する機能を有する。
【００１５】
連結パネル１１Ａは、矩形に形成されるフレーム１６と、フレーム１６の内側に嵌め込まれるパネル本体１５と、フレーム１６の下端部に設置される連結パネルキャスタ１２と、を備える。
【００１６】
フレーム１６は、金属などの剛性を有する素材によって形成され、可動ベース部２のフレーム１６及び仕切りパネル１１Ｂのフレーム１６を接続する接続部１７を有する。接続部１７の機構は、フレーム１６を互いに水平方向両側に回動可能に接続できればどのような機構でもよい。
【００１７】
パネル本体１５は、例えば半透明の樹脂や、薄い布帛など、光をある程度透過できる素材を用いることが、パネル本体１５の向こう側の人や物の存在を視認できる点において望ましい。パネル本体１５には動物などの絵を描くことも可能である。
【００１８】
連結パネルキャスタ１２は、連結パネル１１Ａのフレーム１６の下端に一つだけ設けることが、他のキャスタとの干渉を避ける上において望ましい。
【００１９】
仕切りパネル１１Ｂは、矩形に形成されるフレーム１６と、フレーム１６の内側に嵌め込まれるパネル本体１５と、フレーム１６の下端部に設置される仕切りパネルキャスタ１３と、を備える。
【００２０】
仕切りパネル１１Ｂのフレーム１６及びパネル本体１５の構成は、連結パネル１１Ａのフレーム１６及びパネル本体１５の構成と、横方向の長さ以外は同じである。仕切りパネルキャスタ１３は、連結パネルキャスタ１２と同じものを用いることができる。
【００２１】
仕切りパネルキャスタ１３は、仕切りパネル１１Ｂのフレーム１６の下端に一つだけ設けることが、他のキャスタとの干渉を避ける上において望ましい。
【００２２】
終端パネル１１Ｃは、矩形に形成されるフレーム１６と、フレーム１６の内側に嵌め込まれるパネル本体１５と、フレーム１６の下端部に設置される終端パネルキャスタ１４と、を備える。
【００２３】
終端パネル１１Ｃのパネル本体１５の構成は、連結パネル１１Ａのびパネル本体１５の構成と、横方向の長さ以外は同じである。終端パネルキャスタ１４は、仕切りパネルキャスタ１３と同じものを用いることができる。
【００２４】
終端パネル１１Ｃのフレーム１６は、仕切りパネル１１Ｂと接続する部位にのみ接続部１７を備える点において仕切りパネル１１Ｂのフレーム１６と構成が異なる。終端パネルキャスタ１４は、終端パネル１１Ｃのフレーム１６の下端に一つだけ設けることが、他のキャスタとの干渉を避ける上において望ましい。
【００２５】
終端パネル１１Ｃは、さらに横方向の端部、つまり接続部１７の反対側の端部に円柱状のハンドル１８を有していてもよい（図７及び図８参照。）。ハンドル１８は、終端パネル１１Ｃの上端部から終端パネル１１Ｃの高さの略半分の高さまで延びるものであってもよいし、図７及び図８に示すように、上端部から下端部まで連続してもよい。ハンドル１８の外径は手によって握れる程度の太さが操作性を向上させる点から望ましい。
【００２６】
一つの可動ベース部２に対し、連結パネル１１Ａは一つ、仕切りパネル１１Ｂは１つ以上、終端パネル１１Ｃは一つ設けられる。
【００２７】
連結パネル１１Ａの横方向の長さＷ２は、仕切りパネル１１Ｂの横方向の長さＷ３の１／２の長さである。終端パネル１１Ｃの横方向の長さＷ４は、仕切りパネル１１Ｂの横方向の長さＷ３と等しいかより短い。
【００２８】
間仕切り装置１の床面から上端部までの高さは、人の背丈程度である。小児科などの、子供が多く集まる場所に設置する場合には、間仕切り装置１の床面から上端部までの高さを子供の背丈ほどにしてもよい。
【００２９】
図５は折り畳まれた状態の間仕切り装置１を示す斜視図、図６は折り畳まれた状態の間仕切り装置１の平面図である。
【００３０】
図５に示すように、間仕切り装置１を折り畳む場合には、まず連結パネル１１Ａを可動ベース部２の手前側又は奥側に折り畳む。図５においては、連結パネル１１Ａを奥側に折り畳んでいるため、この例に従って説明する。
【００３１】
次に、仕切りパネル１１Ｂを手前側に折り畳む。さらに仕切りパネル１１Ｂがある場合には、奥側、手前側というように、交互に折り畳む。
【００３２】
最後に、終端パネル１１Ｃを端部が既に折り畳まれた仕切りパネル１１Ｂに重なるように折り畳む。
【００３３】
このように折り畳むと、仕切りパネル１１Ｂは可動ベース部２に対して手前側と奥側とに同じ長さに折り畳まれる。従って、間仕切り装置１の奥側にいる利用者と手前側にいる利用者との間に不公平感を生じさせない。
【００３４】
ここで、可動ベース部２について説明する。可動ベース部２は、下部にベース部キャスタ２２Ｂを備えるベースフレーム２２Ａと、ベースフレーム２２Ａに立てられるベースパネル２１と、を備える。
【００３５】
ベースパネル２１は、矩形に形成されるフレーム１６と、フレーム１６に嵌め込まれるパネル本体１５と、を備える。
【００３６】
ベースフレーム２２Ａは複数のベース部キャスタ２２Ｂを備える。また、ベースフレーム２２Ａは、連結パネル１１Ａ、仕切りパネル１１Ｂ、及び終端パネル１１Ｃが折り畳まれるとき、仕切りパネルキャスタ１３の軌跡に干渉せず、連結パネルキャスタ１２及び終端パネルキャスタ１４の進入方向に開口し、連結パネルキャスタ１２及び終端パネルキャスタ１４を収容する凹部２２Ｃを有する形状をなす。凹部２２Ｃは、終端パネル１１Ｃの横方向の長さＷ４が仕切りパネル１１Ｂの横方向の長さＷ３よりも短い場合、終端パネルキャスタ１４を収容してもよい。
【００３７】
つまり、凹部２２Ｃは、折り畳まれる連結パネル１１Ａの連結パネルキャスタ１２の軌跡と、折り畳まれる終端パネル１１Ｃの終端パネルキャスタ１４の軌跡と、に干渉しないだけの開口幅Ｗ７を持ち、連結パネルキャスタ１２及び終端パネルキャスタ１４を収容するのに十分な奥行きを有する。
【００３８】
ベースフレーム２２Ａは、連結パネル１１Ａ、仕切りパネル１１Ｂ、及び終端パネル１１Ｃが折り畳まれたとき、凹部２２Ｃの内部に連結パネルキャスタ１２及び終端パネルキャスタ１４を収容し、仕切りパネルキャスタ１３がベースフレーム２２Ａの外部に位置する形状をなす。ベースフレーム２２Ａは、平面視において奥行き方向の長さＷ６が、仕切りパネル１１Ｂの横方向の長さＷ３より、少なくとも仕切りパネルキャスタ１３の２個分の幅分だけ短い。従って、折り畳まれた場合、仕切りパネルキャスタ１３がベースフレーム２２Ａと干渉せず、仕切りパネルキャスタ１３が他のキャスタより外側に配置されることとなるため、移動の際の安定性をもたらす。連結パネルキャスタ１２、仕切りパネルキャスタ１３、及び終端パネルキャスタ１４は、連結パネル１１Ａ、仕切りパネル１１Ｂ、及び終端パネル１１Ｃが折り畳まれたとき、互いに干渉しない位置に取り付けられる。
【００３９】
ベースフレーム２２Ａは、上述の凹部２２Ｃ以外の部分の形状は自由に選択できる。図６の例においては、ベースフレーム２２Ａは平面視が逆Ｃ字形状をなしているが、三角形であっても、多角形であってもよい。また、凹部２２Ｃ以外の部分は、板状の部材によって塞がれていてもよい。
【００４０】
また、ベースフレーム２２Ａは、連結パネル１１Ａ、仕切りパネル１１Ｂ、及び終端パネル１１Ｃへのキャスタの取り付け位置によって形状を変更することもできる。例えば、ベースフレーム２２Ａは、ベース部キャスタ２２Ｂを備え、連結パネル１１Ａ、仕切りパネル１１Ｂ、及び終端パネル１１Ｃが折り畳まれるとき、連結パネルキャスタ１２、仕切りパネルキャスタ１３、及び終端パネルキャスタ１４の各軌跡に干渉せず、連結パネルキャスタ１２、仕切りパネルキャスタ１３、及び終端パネルキャスタ１４のうち少なくとも１つキャスタの進入方向に開口し、進入するキャスタを収容する凹部２２Ｃを有し、進入するキャスタ以外のキャスタを外部に位置させる形状をなしていてもよい。
【００４１】
以上述べたように、本実施形態の間仕切り装置１は、支持装置である可動ベース部２と、可動ベース部２に対して水平方向に回動可能に支持される連結パネル１１Ａと、連結パネル１１Ａの横方向の長さＷ２の２倍の横方向の長さＷ３を有し、連結パネル１１Ａに対して水平方向に回動可能に支持される仕切りパネル１１Ｂと、仕切りパネル１１Ｂの横方向の長さＷ３以下の横方向の長さＷ４を有し、仕切りパネル１１Ｂに対して水平方向に回動可能に支持される終端パネル１１Ｃと、を備える。
【００４２】
ここで、仕切りパネル１１Ｂは、横方向の長さが仕切りパネル１１Ｂの横方向の長さＷ３の１／２のパネルを２つ製造するより製造コストが略１／２となる。
【００４３】
従って、折り畳まれたときでもパネルが一方に偏らない安価な間仕切り装置を提供することができるという効果がある。
【００４４】
（第２の実施形態）
図７は、本実施形態の間仕切り装置１を示す図である。図７に示すように、本実施形態の間仕切り装置１の構成は、支持装置が壁４に設置される固定パーテーション３である以外は第１の実施形態の間仕切り装置１の構成と同様である。従って、以下、固定パーテーション３について説明する。
【００４５】
固定パーテーション３は、壁４に固定される固定パネル３１と、連結パネル１１Ａを固定パネル３１に水平方向に回動可能に連結するジョイント部３３と、を備える。
【００４６】
固定パネル３１は、壁４に固定される矩形のフレーム１６と、フレーム１６に嵌め込まれるパネル本体１５と、を備える。パネル本体１５及びフレーム１６の構成は第１の実施形態のパネル本体１５及びフレーム１６の構成と同様である。
【００４７】
ジョイント部３３は、キャスタを有さず、床面まで延びる。
【００４８】
固定パネル３１は壁４に固定されているため、壁４に対して回動しない。従って、固定パネル３１の両側には、収納３２を配置することができる。
【００４９】
以上述べたように、本実施形態の間仕切り装置１は、支持装置として固定パーテーション３を備える。
【００５０】
従って、特に病院において二つのベッドの間に設置すれば、プライバシーを効果的に守ることができるとともに、折り畳まれたときでもパネルが一方に偏らない安価な間仕切り装置を提供することができるという効果がある。
【００５１】
（第３の実施形態）
図８は、本実施形態の間仕切り装置１を示す図である。図８に示すように、本実施形態の間仕切り装置１の構成は、支持装置が壁４に固定されるジョイント部３３である以外は第１の実施形態の間仕切り装置１の構成と同様である。
【００５２】
本実施形態のジョイント部３３の構成は、第２の実施形態のジョイント部３３の構成と同様である。
【００５３】
以上述べたように、本実施形態の間仕切り装置１は、支持装置として壁４に固定されるジョイント部３３を備える。
【００５４】
従って、より簡素な構成により利用者のプライバシーを守ることができるとともに、折り畳まれたときでもパネルが一方に偏らない安価な間仕切り装置を提供することができるという効果がある。
【符号の説明】
【００５５】
１  装置
２  可動ベース部
３  固定パーテーション
４  壁
１１Ａ  連結パネル
１１Ｂ  仕切りパネル
１１Ｃ  終端パネル
１２  連結パネルキャスタ
１３  仕切りパネルキャスタ
１４  終端パネルキャスタ
１５  パネル本体
１６  フレーム
１７  接続部
１８  ハンドル
２１  ベースパネル
２２Ａ  ベースフレーム
２２Ｂ  ベース部キャスタ
２２Ｃ  凹部
３１  固定パネル
３２  収納
３３  ジョイント部
【図１】
2018009326.tif 000003
【図２】
2018009326.tif 000004
【図３】
2018009326.tif 000005
【図４】
2018009326.tif 000006
【図５】
2018009326.tif 000007
【図６】
2018009326.tif 000008
【図７】
2018009326.tif 000009
【図８】
2018009326.tif 000010